(57)【特許請求の範囲】
【請求項１】
レンズを保持するための内筒と、
この内筒の外側に同軸状に配置された外筒であって、前記内筒が当該外筒の内面に沿って中心軸方向の前後に直線的にスライドするように前記内筒を支持するための外筒と、
前記外筒の外面に回転可能に取り付けられ、当該外筒の外面と対向する一方の端面に螺旋状のガイドを備えた円盤状カムと、
前記外筒を貫通して前記内筒と前記螺旋状のガイドとを接続し、前記円盤状カムが回転すると前記内筒を前後に駆動可能な駆動ピンであって、前記内筒および前記螺旋状のガイドの少なくとも一方に対して、前記内筒の半径方向に変位可能な駆動ピンと、
前記外筒に対して前記円盤状カムの回転を止めるための保持機構とを有するレンズ保持ユニット。
【請求項２】
請求項１において、前記螺旋状のガイドは、螺旋状の溝であり、
前記駆動ピンの一端は、前記内筒の外面に設けられた受け部に嵌合され、他端は、前記螺旋状の溝の内部を動く、レンズ保持ユニット。
【請求項３】
請求項１において、前記外筒は、前記内筒を前記中心軸に沿った前後方向に直線的にガイドするための細長いスリットを備えており、
前記駆動ピンは、前記スリットを貫通している、レンズ保持ユニット。
【請求項４】
請求項１において、前記円盤状カムは、外周面に受動歯車を備えており、
前記外筒は、操作歯車を備えた操作ノブを、前記円盤状カムの受動歯車に前記操作歯車が噛み合う位置に前記操作ノブを着脱可能に装着するための突起または凹みを備えている、レンズ保持ユニット。
【請求項５】
請求項１ないし４のいずれかに記載のレンズ保持ユニットと、前記内筒に保持された少なくとも１枚のレンズとを有するレンズユニット。
【請求項６】
請求項５に記載のレンズユニットと、光変調器と、スクリーンとを有し、前記光変調器からの投影光を前記スクリーンに投写する画像表示装置。
【発明の詳細な説明】
【技術分野】
【０００１】
本発明は、液晶表示装置あるいはＤＭＤなどの光変調器に表示された像をスクリーンに拡大投影する画像表示装置に適したレンズ保持ユニットおよびレンズユニットに関するものである。
【背景技術】
【０００２】
画像信号により光を変調して画像を形成する光変調器からの投影光を投写レンズによりスクリーンに背側から投写するリア方式のプロジェクタ装置（以下、リアプロジェクタ装置という）が知られている。
【０００３】
特許文献１には、移動レンズユニットを備えたレンズ装置が開示されている。このレンズ装置は、外周に中心軸方向と平行に複数のカム溝が設けられた鏡筒と、鏡筒の中心軸に対して斜交して設けられた複数のカム溝を有して鏡筒内に配置されカム環と、カム環内に配置された移動レンズユニットと、移動レンズユニットの外周に設置された複数のカムピンと、移動レンズユニットの外周に連結されてカムピンを保持するカムピン保持枠とを備えている。このレンズ装置は、カムピンおよびカムピン保持枠にそれぞれを一体に貫通する貫通孔を設け、貫通孔に移動レンズユニットの外周に当接する調整ネジを螺着させることで、調整ネジによって移動レンズユニットの外周を押し出すように構成されている。
【特許文献１】特開平８−３２７８７２号公報
【発明の開示】
【発明が解決しようとする課題】
【０００４】
リアプロジェクタ装置は、液晶表示装置やＤＭＤ（デジタルミラーデバイス）などの光変調器（ライトバルブあるいは画像形成装置）により形成された画像を、レンズユニット（投写レンズ）を用いてスクリーンに裏側から拡大投影する。このリアプロジェクタ装置は、薄型で大画像を映し出せるので、次世代の画像表示装置として注目を集めている。また、リアプロジェクタ装置においては、ライトバルブとスクリーンとの位置関係は固定されるので、レンズユニットの焦点は固定されていることが望ましい。
【０００５】
複数枚のレンズを備えたレンズユニットが固定焦点タイプであるといっても、個々のレンズにおいても、それらのレンズを保持するレンズ保持ユニットにおいても、製造公差はあり、レンズ同士の光軸位置の微調整などが必要となる。また、レンズユニットの個体差に加えて、リアプロジェクタ装置においても個体差があるので、リアプロジェクタ装置にレンズユニットを組み込む際に、焦点を微調整できることが要求される。
【０００６】
また、リアプロジェクタ装置用の投影用レンズユニットは、光変調器により形成された画像を拡大投影する。このため、僅かな焦点のずれであってもスクリーンに形成される画像の品質が劣化し易い。特に、今後、リアプロジェクタ装置は、ブラウン管、液晶表示装置、プラズマディスプレイといったライトバルブを直視するタイプのディスプレイに代わる製品としても期待されている。したがって、リアプロジェクタ装置のスクリーンに投影される像に対しては、従来の直視型のディスプレイと同様の鮮明さが要求されている。したがって、レンズユニットは、焦点などの微調整が済んでリアプロジェクタ装置に取り付けられた後は、出荷やユーザの元への搬送途上などにおいて加わる衝撃により焦点がずれてしまうようなことは好ましくない。
【課題を解決するための手段】
【０００７】
本発明の一形態はレンズ保持ユニットであり、レンズを保持するための内筒と、この内筒の外側に同軸状（同心状）に配置された外筒であって、内筒が当該外筒の内面に沿って中心軸方向の前後に直線的にスライドするように内筒を支持するための外筒と、外筒の外面に回転可能に取り付けられ、当該外筒の外面と対向する一方の端面に螺旋状のガイドを備えた円盤状カムと、外筒を貫通して内筒と螺旋状のガイドとを接続し、円盤状カムが回転すると内筒を前後に駆動可能な駆動ピンと、外筒に対して円盤状カムの回転を止めるための保持機構とを有する。そして、駆動ピンは、内筒および螺旋状のガイドの少なくとも一方に対して、内筒の半径方向に変位可能となっている。
【０００８】
内筒および外筒に加えて、カムとして機能する筒状の部材を同軸状（同心状）に組み合わせることにより外筒に対して内筒を中心軸に沿って前後に動かして焦点を微調整することができる。微調整した後には、外筒に対して内筒の動きを固定する必要がある。レンズを保持するための内筒を、それを支持するベースとなる外枠に固定するために、固定用のねじで内筒を半径方向に引っ張っても、押しても、レンズ枠となる内筒、またはベースとなる外筒に対して応力が加わる。カムとして機能する筒状の部材を外筒に対して固定しても良いが、カムとして機能する筒状の部材を固定用のねじにより内筒の半径方向（ラジアル方向）に引っ張っても、押しても、同心状に組み合わされた内筒または外筒に応力が加わる可能性が高い。したがって、焦点を微調整することにより、出荷前に微調整した光軸がずれる可能性がある。
【０００９】
本発明の一形態のレンズ保持ユニットは、内筒と外筒とは同軸状（同心状）に配置される。そして、外筒の外面に、螺旋状のガイドを備えた円盤状カムを回転可能に取り付けられ、外筒を貫通する駆動ピンを介して、円盤状カムが回転すると内筒が前後に駆動される。すなわち、外筒に対して内筒を動かすカム機構が環あるいは筒ではなく、外筒の外側に取り付けられる円盤で実装され、そのカム機構は、外筒および内筒とは同軸状に配置されない。さらに、保持機構により、円盤状カムは、外筒の外側で外筒に対して固定される。また、円盤状カムと内筒とを接続する駆動ピンは、内筒および螺旋状のガイドの少なくとも一方に対して、内筒の半径方向（ラジアル方向）に変位するようになっている。したがって、円盤状カムを外筒に対して固定しても、外筒の内側に収納された内筒に対してラジアル方向に押したり引いたりする力が作用するのを防止できる。このため、このレンズ保持ユニットの内筒に複数のレンズを取り付けて調整されたレンズユニットにおいて、焦点を微調整する際に、光軸がずれたりするのを未然に防止できる。したがって、本発明のレンズ保持ユニットを採用したレンズユニットをリアプロジェクタなどの画像表示装置に搭載することにより、レンズユニットの光学的な性能を低下することなく、画像表示装置毎に、レンズユニットあるいはレンズシステムの焦点の微調整が可能となり、鮮明な画像を表示する画像表示装置を提供できる。
【００１０】
さらに、円盤状カムの外筒に対する回転を止めると、内筒は、円盤状カムの螺旋状のガイドに対して駆動ピンを介して接続されているので、内筒の外筒に対する前後方向の動きも固定される。そして、螺旋状のガイドは、中心軸に対して斜めに傾いているので、中心軸に沿った駆動ピンの前後方向の動きは螺旋状のガイドにより効率よく阻害される。したがって、円盤状カムを動かして焦点の微調整を行なった後、円盤状カムの回転を固定することにより、中心軸方向（スラスト方向）の力に対して内筒の移動を抑制できる。このため、リアプロジェクタなどの画像処理装置に、このレンズ保持ユニットを用いたレンズユニットが組み込まれた後に、搬送などに起因してスラスト方向に力が働いてもレンズユニットの焦点がずれるのを抑制できる。
【００１１】
円盤状カムの螺旋状のガイドの好適な例は、螺旋状の溝であり、駆動ピンの一端は、内筒の外面に設けられた孔などの受け部に嵌合され、他端が、螺旋状の溝の内部を動くようにすることが好ましい。スラスト方向の駆動ピンの動きが螺旋状の溝で規定されるので内筒の動きを制御しやすい。また、駆動ピンの他端が螺旋状の溝の内部でラジアル方向に変位するので、駆動ピンの一端を内筒に設けられた受け部に嵌合させることができ、駆動ピンを光軸調整のために兼用できる。
【００１２】
また、外筒は、内筒を中心軸の前後方向に直線的にガイドするための細長いスリットを備えており、駆動ピンは、スリットを貫通していることが好ましい。駆動ピンの動きが、スリットにより中心軸方向に沿った直線状になるので、駆動ピンは、内筒を外筒に対して前後に駆動するだけではなく、内筒が回転することを防止し、内筒を外筒の内部で中心軸方向の前後に直線的にスライドさせる機能を果たす。
【００１３】
円盤状カムは、直に手などで回転させても良い。さらに、円盤状カムは、外周面に受動歯車を備えていることが望ましい。そして、外筒は、操作歯車を備えた操作ノブを、円盤状カムの受動歯車に操作歯車が噛み合う位置に操作ノブを着脱可能に装着するための突起または凹みを備えていることが好ましい。受動歯車と操作歯車のギア比を選択することにより、操作ノブの動きに対する円盤状カムの回転角を変えることができ、内筒の移動量を制御できる。したがって、焦点の微調整を容易に行うことができる。また、焦点調整後は、操作ノブは取り外しできるので、レンズユニットはコンパクトになり、さらに、操作ノブは他のレンズユニットと共用できる。
【００１４】
このレンズ保持ユニットの外筒および内筒としては、筒部材を、中心軸を通る面で少なくとも２つに分割したサブユニットを備えた、いわゆるクラムシェルタイプと称されるものを採用できる。クラムシェルタイプのホルダは、１つの成形用の型から製造した２つのサブユニットを接合するので、レンズ保持ユニットを低コストで製造および組立ができる。また、同一構造で、同じ公差を持ったサブユニット同士をラジアル方向(半径方向)から支持して１つのホルダとするため、レンズの中心または光軸を揃え易い。したがって、リアプロジェクタ装置用のレンズユニットに、クラムシェルタイプのホルダを用いることは好適である。
【００１５】
本発明の一形態は、上記のレンズ保持ユニットと、内筒に保持された少なくとも１枚のレンズとを有するレンズユニットであり、焦点の微調整が可能であり、さらに、耐衝撃性能が高く、光学的性能を安定して維持できるものである。本発明の他の一形態は、このレンズユニットと、このレンズユニットを通じてスクリーンに投影する画像を形成する光変調器と、スクリーンとを有する画像表示装置であり、鮮明な画像を安定してスクリーンに映し出すことが可能となる。
【発明を実施するための最良の形態】
【００１６】
図１に、画像表示装置として、リアプロジェクタ装置１の概要を示してある。このリアプロジェクタ装置１は、ハウジング２の内部に、光源３と、光源３からの光を画像信号により変調して画像を形成する光変調器（ライトバルブ）４と、ライトバルブ４の画像を拡大投影するためのレンズシステム５と、投影光８を反射してスクリーン９に導くミラー７とを有している。そして、ハウジング２の表面にスクリーン９が配置されており、そのスクリーン９に後方からレンズシステム５を介してライトバルブ４の画像が拡大して投影される。ライトバルブ４としては、液晶表示パネルやマイクロミラー素子によるＤＭＤパネル等を採用できる。
【００１７】
図２に、投写用のレンズシステム５の概略構成を示してある。このレンズシステム５は、幾つかのレンズユニットを接続することにより構成されている。本例では、出力側（拡大側）のレンズユニット５ａと、内部で光路を折り曲げるためのプリズム６を収納したレンズユニット５ｂと、入力側のレンズユニット５ｃとを備えている。レンズシステム５は、全体としてＬ字型になっており、内蔵されたプリズム６により、その内部で光を９０度曲げて投影光８を出力する。この投影光８は、リアプロジェクタ装置１のミラー７を介してスクリーン９に投影され画像を形成する。入力側のレンズユニット５ｃは、レンズを保持した内筒３０と、焦点調整のため、この内筒３０を光軸方向にスライドできるように支持する外筒４０と、内筒３０をスライドするため円盤状カム５０とを備えている。
【００１８】
図３に、レンズユニット５ｃの円盤状カム５０が設置された部分の外観を斜視図により示してある。図４に、レンズユニット５ｃの概略構成を展開図により示してある。さらに、図５および図６に、レンズユニット５ｃの概略構成を中心軸Ｌに沿った縦断面図により示してある。
【００１９】
このレンズユニット５ｃは、内筒３０と、外筒４０と、円盤状カム５０とを含むレンズ保持ユニット２０を備えており、少なくとも１枚、本例では、２枚のレンズ１０が内筒３０に収納されている。すなわち、このレンズ保持ユニット２０は、レンズ１０を保持するためのほぼ円筒状の内筒３０と、この内筒３０の外側に同軸状（同心状）に配置された外筒４０であって、内筒３０が当該外筒４０の内面４０ａに沿って内筒３０の中心軸Ｌ方向に直線的にスライドするように内筒３０を支持するための外筒４０と、外筒４０の外面４０ｂに回転可能に取り付けられた円盤状カム５０とを備えている。この円盤状カム５０は、図７に、円盤状カム５０を抜き出して示すように、外筒４０と対向する一方の端面５３に螺旋状のカム溝５１を備えている。
【００２０】
さらに、レンズ保持ユニット２０は、外筒４０を貫通して内筒３０と、円盤状カム５０の螺旋状のガイド５１とを接続し、円盤状カム５０が回転すると内筒３０を前後に駆動可能な駆動ピン６０を備えている。この駆動ピン６０は、図４に示すように、一方の端６１が内筒３０の外面３０ｂに設けられた受け部３１に差し込まれ、他方の端６２がカム溝５１の内部を動く。そして、この駆動ピン６０の他方の端６２とカム溝５１のサイズは、他方の端６２が螺旋状のカム溝５１に対して内筒３０の半径方向（ラジアル方向）に変位できるようになっている。さらに、レンズ保持ユニット２０は、外筒４０に対して円盤状カム５０の回転を止めるためのネジ７０を取り付ける穴４２が、外筒４０の外面４０ｂに保持機構として設けられている。
【００２１】
内筒３０および外筒４０は、樹脂により成型されている。内筒３０および外筒４０は、それぞれクラムシェルタイプのホルダとしてもよい。本例では、内筒３０がクラムシェルタイプのホルダであり、レンズユニット５ｃの光軸とほぼ一致し、内筒３０の中心軸Ｌを含む面により上下または左右に２つに分割された同一形状のクラムシェルタイプのサブユニット３９を備えている。そして、それらのサブユニット３９をそれぞれボルトなどにより接合することにより、１つのほぼ円筒状のシェルが構成されている。
【００２２】
内筒３０は、内周面３０ａに、レンズ１０を保持するための突起３８を備えている。また、内筒３０は、外周面３０ｂの周方向に複数の孔部（受け部）３１が設けられている。この孔部３１には駆動ピン６０の一端の嵌合部６１をはめ込むことができる。内筒３０の外周面３０ｂには、さらに、中心軸Ｌに沿った前後の２箇所に外側に突き出た環状のフランジ３２ａおよび３２ｂが形成されている。内筒３０を外筒４０に挿入したときに、これらのフランジ３２ａおよび３２ｂが外筒４０の内面４０ａに接する。したがって、内筒３０は、外筒４０に対し、がたつくことなく、中心軸Ｌに沿った前後方向にスライドする。
【００２３】
外筒４０は、内筒３０をガイドする内周面４０ａを備えた円筒であり、さらに、外面４０ｂに、円盤状カム５０を取り付けるためのリング状のカム支持部４１を備えている。カム支持部４１は、外筒４０の外周面４０ｂから、中心軸Ｌに対して垂直な方向に突き出た、ほぼ円形のカルデラ状の形状である。カム支持部４１の外側の環４８には、６つの固定用の穴４２がほぼ等間隔に設けられている。この固定用の穴４２が、円盤状カム５０の回転を外筒４０に対して止めるための保持機構として機能し、穴４２に対して円盤状カム５０を通してネジ７０をねじ込むことにより円盤状カム５０の回転が止まるようになっている。カム支持部４１の中心は、円盤状カム５０を外筒４０に対して回転可能に取り付けるための穴４３となっている。円盤状カム５０は、回転軸を兼ねた取り付けピン５９により穴４３に取り付けられる。
【００２４】
さらに、外筒４０には、取り付け用の穴４３から外側の環４８に向かって、中心軸Ｌに沿い、外筒４０を貫通する細長い直線状のスリット４５が形成されている。このスリット４５には、円盤状カム５０と内筒３０とを接続する駆動ピン６０が入り、円盤状カム５０と内筒３０とを外筒４０を貫通して接続すると共に、内筒３０の外筒４０に対する移動方向を中心軸Ｌの前後方向に直線的にガイドする機能を果たす。すなわち、駆動ピン６０とスリット４５とによって、外筒４０に対して内筒３０の周方向の移動は抑止できる。
【００２５】
外筒４０のカム支持部４１に取り付けられる円盤状カム５０は、厚みの小さなディスク状で、その外周面に受動歯車５２を備えている。また、円盤状カム５０は、外筒４０と対向する端面５３に、螺旋状のガイドとなる螺旋状の溝５１を備えている。なお、螺旋状のガイドは、このような螺旋状の溝５１に限定されるものではなく、円盤状カム５０を貫通するような螺旋状のスリット、螺旋状の凸部であっても良い。螺旋状の凸部の場合は、駆動ピン６０の側のその凸部と噛み合う溝が設けられる。
【００２６】
本例の円盤状カム５０は、さらに、その中心に、シャフトとなる取り付けピン５９を通すための貫通孔５５を備えている。また、周縁に沿って、円弧状の４つのスリット５４がほぼ等間隔に設けられている。外筒４０のカム支持部４２に円盤状カム５０が取り付けられたときに、このスリット５４を介して固定用の穴４２の少なくとも１つが表れるようになっている。したがって、スリット５４を通して固定用のネジ７０を穴４２にねじ込むことにより、円盤状カム５０の回転を止めることができる。
【００２７】
駆動ピン６０は、外筒４０を貫通して、上記の円盤状カム５０の螺旋溝（カム溝）５１と内筒３０とを接続するものである。そして、円盤状カム５０を、保持機構となるネジ７０により外筒４０に対してネジ止めするときに、円盤状カム５０がラジアル方向に動いても内筒３０にラジアル方向の応力が伝播しないように、駆動ピン６０は、少なくとも内筒３０および螺旋状の溝５１に対して半径方向（ラジアル方向）に移動あるいは変位できるようになっている。本例では、駆動ピン６０の一端６２が螺旋状の溝５１の内部を動く受動部となっており、図５および図６に示すように、受動部６２と螺旋状の溝５１の底面との間に隙間Ｓが開くように設計されている。そのため、駆動ピン６０は、螺旋状の溝５１に対して内筒３０のラジアル方向に変位可能であり、円盤状カム５０を外筒４０に対してネジ止めしても、ラジアル方向の応力が内筒３０へ伝播しないようになっている。
【００２８】
さらに、外筒４０の外面４０ｂには、カム支持部４１に近接した位置に、円盤状カム５０を操作するための操作ノブ８０を着脱可能な凹み４４が設けられている。この操作ノブ８０は、円柱状の操作部８５と、凹み４４に装着するための突起８２と、操作部８５と同軸に繋がった操作歯車８１とを備えており、操作ノブ８０を凹み４４に装着すると、円盤状カム５０の受動歯車５２に操作歯車８１が噛み合うようになっている。外筒４０に対し操作ノブ８０を回転自在に取り付ける形態は凹み４４に限らず、凹凸が逆転しても良い。
【００２９】
このレンズ保持ユニット２０を備えたレンズユニット５ｃは、次のように組み立てられる。まず、内筒３０の内部にレンズ１０を装着する。内筒３０はクラムシェルタイプなので、内周面３０ａに設けられた突起３８に支持されるように、それぞれのレンズ１０を装着できる。次に、内筒３０を外筒４０に挿入し、駆動ピン６０の嵌合部６１を、外筒４０のスリット４５を貫通させて、内筒３０の孔部３１のいずれかに嵌める。この際、レンズユニット５ｃにより、他のレンズユニット５ａおよび５ｂと共にレンズシステム５を組み立て、レンズシステム５の光軸調整を行なう。すなわち、それぞれのレンズユニット５ａ〜５ｃに保持された複数のレンズの位置関係を調整するために、内筒３０を外筒４０に対して回転し、最も結像性能の良い位置を選択する。内筒３０の外周面３０ｂに配置された複数の孔部３１の内、光軸を調整したときに、スリット４５に最も近い位置にある孔部３１に駆動ピン６０をはめ込む。駆動ピン６０により内筒３０は外筒４０に対して旋回できなくなり、レンズユニット５ｃを含むレンズシステム５は、光軸が調整された状態で出荷できる。
【００３０】
さらに、外筒４０のカム支持部４１に円盤状カム５０を搭載し、取り付けピン５９により、外筒４０に対してカム５０が回転するように取り付ける。このとき、駆動ピン６０の受動部６２が円盤状カム５０の螺旋状の溝５１に遊嵌するように、支持部４１に円盤状カム５０をセットする。螺旋状のカム溝５１の一方の端は、円盤状カム５０を貫通する孔５６に繋がっており、この孔５６を用いて駆動ピン６０とカム溝５１との位置を合わせることができる。
【００３１】
このように内筒３０、外筒４０および円盤状カム５０を含むレンズユニット５ｃと、他のレンズユニット５ａおよび５ｂにより組み立てられ、出荷されたレンズシステム５は、リアプロジェクタなどの画像装置に組み込まれるときに、焦点の微調整が行なわれる。まず、図５に示すように、操作ノブ８０を、その操作歯車８１が、円盤状カム５０の受動歯車５２に噛み合うように、外筒４０の凹み４４に取り付ける。操作ノブ８０を操作し、円盤状カム５０を回転させる。これにより、駆動ピン６０を介して、内筒３０が外筒４０の内面４０ａに沿って中心軸Ｌ方向の前後に直線的にスライドし、焦点調整を行うことができる。
【００３２】
焦点調整が終了したのち、図６に示すように、円盤状カム５０のスリット５４を通して、固定用のネジ７０を、保持機構である外筒４０の穴にねじ込み、外筒４０に対し円盤状カム５０が回転しないように固定する。このとき、カム溝５１に駆動ピン６０がラジアル方向に移動あるいは変位できる遊び（隙間）Ｓがあるので、円盤状カム５０を外筒４０にネジ７０により引き付けて固定しても、内筒３０は駆動ピン６０を介してラジアル方向に押されることはなく、内筒３０にラジアル方向の力は作用しない。したがって、焦点調整後、円盤状カム５０をねじ止めすることにより、レンズ１０の光軸を合わせた状態で、軸ぶれを起こさずに焦点を固定できる。
【００３３】
円盤状カム５０の回転を固定することにより、カム溝５１に挿入された駆動ピン６０は、中心軸方向に沿った前後方向に動かない。したがって、駆動ピン６０により繋がった内筒３０の前後方向の動きは制限される。さらに、円盤状カム５０に設けられた螺旋状のカム溝５１は、外筒４０に設けられた前後方向に直線状に延びたスリット４５に対して、略垂直に近い角度で斜めに交差し、その交差した位置に駆動ピン６０が保持される。したがって、駆動ピン６０は、カム溝５１およびスリット４５により前後および左右に略動かないように支持される。このため、駆動ピン６０により移動される内筒３０も、外筒４０に対して前後および左右にほぼ動かないように支持される。
【００３４】
したがって、焦点調整後に衝撃や力が加わっても、特に、前後方向（スラスト方向）に大きな力が加わっても、焦点がずれたり、光軸がずれたりするのを防止できる。したがって、いったん焦点を微調整してレンズシステム５をリアプロジェクタ装置１に組み込んだ後は、焦点はずれ難く、スクリーンに鮮明な画像を安定して投影することができる。
【００３５】
焦点調整中は、ギア比の異なる操作ノブ８０を外筒４０に着脱することにより、操作部８５の操作量に対する内筒３０の移動量を変えることができる。したがって、焦点調整の初期の粗調整のときは、ギア比の小さな操作ノブ８０を用いて内筒３０を大きく動かし、その後、ギア比の大きな操作ノブ８０を用いて内筒３０の移動量を小さくして微調整を行うことができる。そして、焦点調整後は、操作ノブ８０を外筒４０から取り外すことができる。このため、不用意に操作ノブ８０が操作されて焦点がずれることを防止できる。また、操作ノブ８０を外すことにより、レンズ保持ユニット２０、およびレンズユニット５ｃが大型になるのを抑制できる。さらに、操作ノブ８０は、他のユニットでも共通であり、繰り返し使用ができるため、経済的である。
【００３６】
なお、上記では、リアプロジェクタ装置、それに適したレンズシステムおよびレンズ保持ユニットを説明したが、本発明の一形態であるレンズ保持ユニットおよびレンズユニットは画像を投影する全てのシステムに適用することが可能である。また、画像を投影するシステムに限定されずに、レンズを用いる光学装置または光学システムにも適用することができる。
【図面の簡単な説明】
【００３７】
【図１】リアプロジェクタ装置の概略構成を示す図。
【図２】リアプロジェクタ装置のレンズシステムを示す図。
【図３】図２に示すレンズユニットの斜視図。
【図４】図３に示すレンズユニットの展開斜視図。
【図５】図３に示すレンズユニットを焦点調整する状態を示す縦断面図。
【図６】図３に示すレンズユニットの焦点を固定した状態を示す縦断面図。
【図７】円盤状カムを拡大して示す斜視図。
【符号の説明】
【００３８】
１    リアプロジェクタ装置（画像表示装置）、  ４    光変調器
５    レンズシステム、  ５ｃ    レンズユニット
９    スクリーン、  １０    レンズ
２０    レンズ保持ユニット、  ３０    内筒
４０    外筒、  ５０    円盤状カム
６０    駆動ピン、  ８０    操作ノブ
【図１】
0004690816.tif 000002
【図２】
0004690816.tif 000003
【図３】
0004690816.tif 000004
【図４】
0004690816.tif 000005
【図５】
0004690816.tif 000006
【図６】
0004690816.tif 000007
【図７】
0004690816.tif 000008